(57)【要約】【課題】常に機器を使用しておかないと異常と判断されることがある。【解決手段】機器として人体を検知することができる人感センサを玄関等の上に設置し情報端末装置に登録する。人感センサを起動させて人感情報を取得できる状態にする（Ｓ１）。人感センサが人体を検知したかどうか判定する（Ｓ２）。この人感情報を情報端末装置に無線で送信する（Ｓ３）。この送信された人感情報は情報端末装置で保存される(Ｓ４)。次に、外部の通信装置から通信ネットワークを介して情報処理サーバ装置に接続する（Ｓ５）。この携帯電話から情報処理サーバ装置を介して、情報端末装置に保存された人感情報の送信を要求する（Ｓ６）。この情報端末装置が取得した人感センサの人感情報は、情報端末装置からデータ通信回線網、情報処理サーバ装置を介して携帯電話に送信され、最新のデータ順に検知された場所を明示して表示される（Ｓ７）。【選択図】図３
2006345022.tif 000002
【特許請求の範囲】
【請求項１】
機器に関する情報を収集する情報送受信部と、機器からの情報に基づいて外部通報を行う情報処理部とを備えた情報端末装置と、前記情報端末装置との間で情報を送受信する情報処理サーバ装置と、外部から通信ネットワークを介して情報処理サーバ装置に接続可能な外部通信装置とからなり、
前記機器が人体を検知すると、前記機器から前記情報端末装置に情報を送信し、前記機器からの情報をある一定期間前記情報端末装置で保持し、前記外部通信装置から通信ネットワークを介して前記情報処理サーバ装置経由で前記情報端末装置の情報を要求すると、前記外部通信装置は前記情報端末装置で保持された情報を受信して新しい情報から順に表示されることを特徴とする情報システム。
【請求項２】
機器に関する情報を収集する情報送受信部と、機器からの情報に基づいて外部通報を行う情報処理部とを備えた情報端末装置と、前記情報端末装置との間で情報を送受信する情報処理サーバ装置と、外部から通信ネットワークを介して情報処理サーバ装置に接続可能な外部通信装置とからなり、
前記機器が人体を検知すると、前記機器から前記情報端末装置に情報を送信し、前記機器からの情報をある一定期間前記情報端末装置で保持し、前記外部通信装置から通信ネットワークを介して前記情報処理サーバ装置経由で前記情報端末装置の情報を要求すると、前記外部通信装置は前記情報端末装置で保持された情報を受信して古い情報から順に表示され、一番上には最新の情報を表示することを特徴とする情報システム。
【請求項３】
機器に関する情報を収集する情報送受信部と、機器からの情報に基づいて外部通報を行う情報処理部とを備えた情報端末装置と、前記情報端末装置との間で情報を送受信する情報処理サーバ装置と、外部から通信ネットワークを介して情報処理サーバ装置に接続可能な外部通信装置とからなり、
前記機器が人体を検知すると、前記機器から前記情報端末装置に情報を送信し、前記機器からの情報をある一定期間前記情報端末装置で保持し、あらかじめ取得された情報と前記保持した情報とを比較して異常と判断すると、前記情報端末装置から通信ネットワークを介して前記情報処理サーバ装置経由で前記外部通信装置に情報送信を行うことを特徴とする情報システム。
【請求項４】
家電機器に関する情報を収集する情報送受信部と、家電機器からの情報に基づいて外部通報を行う情報処理部とを備えた情報端末装置と、前記情報端末装置との間で情報を送受信する情報処理サーバ装置と、外部から通信ネットワークを介して情報処理サーバ装置に接続可能な外部通信装置とからなり、
前記家電機器が使用されると、前記家電機器から前記情報端末装置に情報を送信し、前記家電機器からの情報をある一定期間前記情報端末装置で保持し、あらかじめ設定された入力値と前記保持した情報とを比較して異常と判断すると、前記情報端末装置から通信ネットワークを介して前記情報処理サーバ装置経由で前記外部通信装置に情報送信を行うことを特徴とする情報システム。
【請求項５】
家電機器に関する情報を収集する情報送受信部と、家電機器からの情報に基づいて外部通報を行う情報処理部とを備えた情報端末装置と、前記情報端末装置との間で情報を送受信する情報処理サーバ装置と、外部から通信ネットワークを介して情報処理サーバ装置に接続可能な外部通信装置とからなり、
前記家電機器が使用されると、前記家電機器から前記情報端末装置に情報を送信し、前記家電機器からの情報をある一定期間前記情報端末装置で保持し、前記外部通信装置から通信ネットワークを介して前記情報処理サーバ装置経由で前記情報端末装置の情報を要求すると、前記外部通信装置は前記情報端末装置で保持された情報を受信して前記家電機器ご
とに表示されることを特徴とする情報システム。
【請求項６】
機器に関する情報を収集する情報送受信部と、機器からの情報に基づいて外部通報を行う情報処理部とを備えた情報端末装置と、前記情報端末装置との間で情報を送受信する情報処理サーバ装置と、外部から通信ネットワークを介して情報処理サーバ装置に接続可能な外部通信装置とからなる情報システムの制御方法において、
前記機器が人体を検知するステップと、
前記機器から人体検知の情報を前記情報端末装置に送信するステップと、
前記機器からの情報をある一定期間前記情報端末装置で保持するステップと、
前記外部通信装置から通信ネットワークを介して前記情報処理サーバ装置経由で前記情報端末装置の情報を要求するステップと、
前記情報端末装置で保持された情報を前記外部通信装置は受信して新しい情報から順に表示するステップとを備えてなる制御方法。
【請求項７】
機器に関する情報を収集する情報送受信部と、機器からの情報に基づいて外部通報を行う情報処理部とを備えた情報端末装置と、前記情報端末装置との間で情報を送受信する情報処理サーバ装置と、外部から通信ネットワークを介して情報処理サーバ装置に接続可能な外部通信装置とからなる情報システムの制御方法において、
前記機器が人体を検知するステップと、
前記機器から人体検知の情報を前記情報端末装置に送信するステップと、
前記機器からの情報をある一定期間前記情報端末装置で保持するステップと、
前記外部通信装置から通信ネットワークを介して前記情報処理サーバ装置経由で前記情報端末装置の情報を要求するステップと、
前記情報端末装置で保持された情報を前記外部通信装置は受信して古い情報から順に表示し、一番上には最新の情報を表示するステップとを備えてなる制御方法。
【請求項８】
機器に関する情報を収集する情報送受信部と、機器からの情報に基づいて外部通報を行う情報処理部とを備えた情報端末装置と、前記情報端末装置との間で情報を送受信する情報処理サーバ装置と、外部から通信ネットワークを介して情報処理サーバ装置に接続可能な外部通信装置とからなる情報システムの制御方法において、
前記機器が人体を検知するステップと、
前記機器から人体検知の情報を前記情報端末装置に送信するステップと、
前記機器からの情報をある一定期間前記情報端末装置で保持するステップと、
あらかじめ取得された情報と前記保持した情報とを比較して異常と判断するステップと、異常と判断したときに、前記情報端末装置から通信ネットワークを介して前記情報処理サーバ装置経由で前記外部通信装置に情報送信を行うステップとを備えてなる制御方法。
【請求項９】
家電機器に関する情報を収集する情報送受信部と、家電機器からの情報に基づいて外部通報を行う情報処理部とを備えた情報端末装置と、前記情報端末装置との間で情報を送受信する情報処理サーバ装置と、外部から通信ネットワークを介して情報処理サーバ装置に接続可能な外部通信装置とからなる情報システムの制御方法において、
前記家電機器を使用するステップと、
前記家電機器から使用情報を前記情報端末装置に送信するステップと、
前記家電機器からの情報をある一定期間前記情報端末装置で保持するステップと、
あらかじめ設定された入力値と前記保持した情報とを比較して異常と判断するステップと、
異常と判断したときに、前記情報端末装置から通信ネットワークを介して前記情報処理サーバ装置経由で前記外部通信装置に情報送信を行うステップとを備えてなる制御方法。
【請求項１０】
家電機器に関する情報を収集する情報送受信部と、家電機器からの情報に基づいて外部通
報を行う情報処理部とを備えた情報端末装置と、前記情報端末装置との間で情報を送受信する情報処理サーバ装置と、外部から通信ネットワークを介して情報処理サーバ装置に接続可能な外部通信装置とからなる情報システムの制御方法において、
前記家電機器を使用するステップと、
前記家電機器から使用情報を前記情報端末装置に送信するステップと、
前記家電機器からの情報をある一定期間前記情報端末装置で保持するステップと、
前記外部通信装置から通信ネットワークを介して前記情報処理サーバ装置経由で前記情報端末装置の情報を要求するステップと、
前記情報端末装置で保持された情報を前記外部通信装置は受信して前記家電機器ごとに表示するステップとを備えてなる制御方法。
【請求項１１】
請求項１〜５のいずれか１項に記載の情報システムをコンピュータに実行させるためのプログラム。
【発明の詳細な説明】
【技術分野】
【０００１】
本発明は、機器が人体を検知したり、機器が使用された時、これらの情報をもとに通信ネットワークを介して外部通信装置に送信することに関する情報システム、制御方法およびそのプログラムに関するものである。
【背景技術】
【０００２】
従来、家の中の人の生活状況を監視する情報端末装置は、機器に操作状況検出部が設けられ、各検出部からの出力信号を受信して記憶しておくものがある（例えば、特許文献１参照）。これによって電気ポットや炊飯ジャーの各機器からの出力信号を、家庭内電気配線を用いて収集することができるものである。すなわち、機器の使用状況を収集することができるので、家人の生活状況のモニターを行うことができるものである。
【０００３】
また、家人が緊急の時には携帯電話に電話をかけるものもある（例えば、特許文献２参照）。これによって機器の使用状況から判断して、緊急事態が発生した場合、外部の人に連絡をすることができるものである。すなわち、電気ポットや炊飯ジャーの各機器の使用が異常な時、情報端末装置に登録されている携帯電話等の番号に電話をかけたり、電子メールを送信して異常状態を知らせることができるものである。
【０００４】
また、機器の使用状況の情報を外部のサーバに送信することによって、外部から閲覧可能にしたものもある（例えば、特許文献３参照）。これによって外部からその家の機器の使用状況を閲覧することができ、モニターすることができるものである。すなわち、電気ポットや炊飯ジャーの各機器の使用情報をサーバに送信し、外部からこのサーバにアクセスすることによって使用状況の閲覧をすることができるものである。
【特許文献１】特開平１０−２４８０９３号公報
【特許文献２】特開平１１−１２０４６６号公報
【特許文献３】特開２００２−７８０３４号公報
【発明の開示】
【発明が解決しようとする課題】
【０００５】
しかしながら、前記従来の構成では、利用者が常に機器を使用しておく必要があるという欠点がある。従って、特に利用者に異常がない場合でも電気ポットや炊飯ジャーの各機器を使用していない期間が長ければ、機器の使用状態をモニターした時に異常と誤って判断してしまうことがあるという課題がある。
【０００６】
また、その機器の使用状態から誤って異常と判断した後に、情報端末装置に登録されている携帯電話等の番号に電話をかけたり、電子メールを送信して誤った異常状態を知らせてしまうという課題がある。
【０００７】
さらに、外部からその家の機器の使用状況を閲覧しモニターした時に、全く機器が使用されていないと異常ではないかと誤って判断してしまうことがあるという欠点もある。また、サーバに情報を送信することによって、その情報をサーバ側で保存するとデータ管理が膨大となってしまうという課題がある。
【０００８】
本発明は、このような課題を解決するために、機器に関する情報を収集する情報送受信部と、機器からの情報に基づいて外部通報を行う情報処理部とを備えた情報端末装置と、前記情報端末装置との間で情報を送受信する情報処理サーバ装置と、外部から通信ネットワークを介して情報処理サーバ装置に接続可能な外部通信装置とからなり、前記機器が人
体を検知すると、前記機器から前記情報端末装置に情報を送信し、前記機器からの情報をある一定期間前記情報端末装置で保持し、前記外部通信装置から通信ネットワークを介して前記情報処理サーバ装置経由で前記情報端末装置の情報を要求すると、前記外部通信装置で受信して表示部で前記情報端末装置で保持された情報が新しい情報から順に表示されることによって、検知状態のモニターおよびそれから異常状態を判断することに対する利便性、正確性、信頼性を高めるようにしたものである。
【０００９】
このようにすることによって、各機器から人体を検知したという情報が情報端末装置にあがってきた後に、外部通信装置からその人体検知の状態をモニターすると、家のどこで何時ごろに人体を検知したかが新しい順に一目で認識することができるので、異常状態であるかどうかを即座に判断することができる。
【００１０】
また、それらの人体検知の状態をパターン化することによって、そのパターンからはずれると外部に連絡することができ、その外部の人に対してその家人を気をつけてもらうことができ、異常状態を判断することに対する利便性、正確性、信頼性を高めるようにすることができる。
【００１１】
さらに、家電機器として冷蔵庫、洗面所やトイレの照明、水道からの使用情報を情報端末装置に送信することによって、外部通信装置からその使用状態をモニターすると、家のどこで何時ごろに各機器を使用したかが新しい順に一目で認識することができるので、異常状態であるかどうかを即座に判断することができ、またそれらの情報は情報端末装置のみに保存され、サーバには保存しないので、使用状態を外部通信装置を用いて容易に確認することができ、異常状態判定時の連絡に対する利便性、正確性、信頼性を向上させることができる。
【００１２】
このようにして、本発明は、各機器からの人体検知情報や各家電機器からの使用情報を情報端末装置に送信し、それらの情報を外部通信装置でモニターする時、新しい情報順に各機器を明示して表示し、即座に異常状態であるかどうかを判断することができる。さらにそれらの検知状態をパターン化することによって、そのパターンからはずれた場合は異常であると判断して、外部通信装置に連絡することによって、検知状態のモニターおよびそれらから異常状態を判断することに対する利便性、正確性、信頼性を高めることができるようにした情報システム、制御方法およびそのプログラムを提供することを目的とするものである。
【課題を解決するための手段】
【００１３】
前記従来の課題を解決するために、本発明の情報システムは、機器に関する情報を収集する情報送受信部と、機器からの情報に基づいて外部通報を行う情報処理部とを備えた情報端末装置と、前記情報端末装置との間で情報を送受信する情報処理サーバ装置と、外部から通信ネットワークを介して情報処理サーバ装置に接続可能な外部通信装置とからなり、前記機器が人体を検知すると、前記機器から前記情報端末装置に情報を送信し、前記機器からの情報をある一定期間前記情報端末装置で保持し、前記外部通信装置から通信ネットワークを介して前記情報処理サーバ装置経由で前記情報端末装置の情報を要求すると、前記外部通信装置は前記情報端末装置で保持された情報を受信して新しい情報から順に表示されることを特徴とする情報システムを提供するものである。
【００１４】
また、本発明の制御方法は、機器に関する情報を収集する情報送受信部と、機器からの情報に基づいて外部通報を行う情報処理部とを備えた情報端末装置と、前記情報端末装置との間で情報を送受信する情報処理サーバ装置と、外部から通信ネットワークを介して情報処理サーバ装置に接続可能な外部通信装置とからなる情報システムの制御方法において、前記機器が人体を検知するステップと、前記機器から人体検知の情報を前記情報端末装
置に送信するステップと、前記機器からの情報をある一定期間前記情報端末装置で保持するステップと、前記外部通信装置から通信ネットワークを介して前記情報処理サーバ装置経由で前記情報端末装置の情報を要求するステップと、前記情報端末装置は保持された情報を前記外部通信装置で受信して新しい情報から順に表示するステップとを備えてなる制御方法を提供するものである。
【００１５】
すなわち、本発明は、各機器から人体を検知したという情報が情報端末装置にあがってきた後に、外部通信装置からその人体検知の状態をモニターすると、例えば、家のどこで何時ごろに人体を検知したかが新しい順に一目で認識することができるので、異常状態であるかどうかを即座に判断することができる。
【００１６】
また、それらの人体検知の状態をパターン化することによって、そのパターンから検知状態がはずれると外部の外部通信装置に連絡することができ、その外部の人に対してその家人を注意してもらうことができ、異常状態を判断することに対する利便性、正確性、信頼性を高めるようにすることができる。
【００１７】
さらに、家電機器として冷蔵庫、洗面所やトイレの照明、水道等からの使用情報を情報端末装置に送信することによって、外部通信装置からその使用状態をモニターすると、例えば、家のどこで何時ごろに各機器を使用したかが新しい順に一目で認識することができるので、異常状態であるかどうかを即座に判断することができ、またそれらの情報は情報端末装置のみに保存され、サーバには保存しないので、使用状態を外部通信装置を用いて容易に確認することができ、異常状態判定時の連絡に対する利便性、正確性、信頼性を向上させることができるようにしたものである。
【００１８】
以上のような構成とすることにより、本発明によれば、各機器からの人体検知情報や各家電機器からの使用情報を情報端末装置に送信し、それらの情報を外部通信装置でモニターする時、新しい情報順に各機器を明示して表示し、即座に異常状態であるかどうかを判断することができる。
【００１９】
さらにそれらの検知状態をパターン化することによって、そのパターンから検知状態がはずれた場合は異常であると判断して、外部通信装置に連絡することによって、検知状態のモニターおよびそれらから異常状態を判断することに対する利便性、正確性、信頼性を高めることができるようにしたものである。
【発明の効果】
【００２０】
以上のように、本発明の情報システム、制御方法およびそのプログラムによれば、各機器から人体を検知したという情報が情報端末装置にあがってきた後に、外部通信装置からその人体検知の状態をモニターすると、例えば、家のどこで何時ごろに人体を検知したかが新しい順に一目で認識することができるので、異常状態であるかどうかを即座に判断することができるという効果を有するものである。
【００２１】
また、それらの人体検知の状態をパターン化することによって、そのパターンから検知状態がはずれると外部の外部通信装置に連絡することができ、その外部の人に対してその家人を気をつけておいてもらうことができ、異常状態を判断することに対する利便性、正確性、信頼性を高めるようにすることができる。
【００２２】
さらに、家電機器として冷蔵庫、洗面所やトイレの照明、水道等からの使用情報を情報端末装置に送信することによって、外部通信装置からその使用状態をモニターすると、例えば、家のどこで何時ごろに各機器を使用したかが新しい順に一目で認識することができるので、異常状態であるかどうかを即座に判断することができ、またそれらの情報は情報
端末装置のみに保存され、サーバには保存しないので、使用状態を外部通信装置を用いて容易に確認することができ、異常状態判定時の連絡に対する利便性、正確性、信頼性を向上させることができるようにしたものである。
【００２３】
以上のような構成とすることにより、本発明によれば、各機器からの人体検知情報や各家電機器からの使用情報を情報端末装置に送信し、それらの情報を外部通信装置でモニターする時、新しい情報順に各機器を明示して表示し、即座に異常状態であるかどうかを判断することができ、さらにそれらの検知状態をパターン化することによって、そのパターンから検知状態がはずれた場合は異常であると判断して、外部通信装置に連絡することによって、検知状態のモニターおよびそれらから異常状態を判断することに対する利便性、正確性、信頼性を高めることができ、システムの信頼性を確実に向上させることができるという効果を有するものである。
【発明を実施するための最良の形態】
【００２４】
第１の発明は、機器に関する情報を収集する情報送受信部と、機器からの情報に基づいて外部通報を行う情報処理部とを備えた情報端末装置と、前記情報端末装置との間で情報を送受信する情報処理サーバ装置と、外部から通信ネットワークを介して情報処理サーバ装置に接続可能な外部通信装置とからなり、前記機器が人体を検知すると、前記機器から前記情報端末装置に情報を送信し、前記機器からの情報をある一定期間前記情報端末装置で保持し、前記外部通信装置から通信ネットワークを介して前記情報処理サーバ装置経由で前記情報端末装置の情報を要求すると、前記外部通信装置は前記情報端末装置で保持された情報を受信して新しい情報から順に表示されることを特徴とする情報システムを提供するものである。
【００２５】
これによって、本発明は、各機器から人体を検知したという情報が情報端末装置にあがってきた後に、外部通信装置からその人体検知の状態をモニターすると、例えば、家のどこで何時ごろに人体を検知したかが新しい順に一目で認識することができるので、異常状態であるかどうかを即座に判断することができ、異常状態検出に対する利便性、正確性、信頼性を高めることができるものである。
【００２６】
第２の発明は、機器に関する情報を収集する情報送受信部と、機器からの情報に基づいて外部通報を行う情報処理部とを備えた情報端末装置と、前記情報端末装置との間で情報を送受信する情報処理サーバ装置と、外部から通信ネットワークを介して情報処理サーバ装置に接続可能な外部通信装置とからなり、前記機器が人体を検知すると、前記機器から前記情報端末装置に情報を送信し、前記機器からの情報をある一定期間前記情報端末装置で保持し、前記外部通信装置から通信ネットワークを介して前記情報処理サーバ装置経由で前記情報端末装置の情報を要求すると、前記外部通信装置は前記情報端末装置で保持された情報を受信して古い情報から順に表示され、一番上には最新の情報を表示することを特徴とする情報システムを提供するものである。
【００２７】
これによって、本発明は、各機器から人体を検知したという情報が情報端末装置にあがってきた後に、外部通信装置からその人体検知の状態をモニターすると、例えば、家のどこで何時ごろに人体を検知したかの最新情報を一目で認識することができるので、異常状態であるかどうかを即座に判断することができ、異常状態検出に対する利便性、正確性、信頼性を高めることができるものである。
【００２８】
第３の発明は、機器に関する情報を収集する情報送受信部と、機器からの情報に基づいて外部通報を行う情報処理部とを備えた情報端末装置と、前記情報端末装置との間で情報を送受信する情報処理サーバ装置と、外部から通信ネットワークを介して情報処理サーバ装置に接続可能な外部通信装置とからなり、前記機器が人体を検知すると、前記機器から
前記情報端末装置に情報を送信し、前記機器からの情報をある一定期間前記情報端末装置で保持し、あらかじめ取得された情報と前記保持した情報とを比較して異常と判断すると、前記情報端末装置から通信ネットワークを介して前記情報処理サーバ装置経由で前記外部通信装置に情報送信を行うことを特徴とする情報システムを提供するものである。
【００２９】
これによって、本発明は、それらの人体検知の状態をパターン化することによって、そのパターンから検知状態がはずれると外部の外部通信装置に連絡することができ、その外部の人に対してその家人を気をつけておいてもらうことができ、異常状態を判断することに対する利便性、正確性、信頼性を高めることができるものである。
【００３０】
第４の発明は、家電機器に関する情報を収集する情報送受信部と、家電機器からの情報に基づいて外部通報を行う情報処理部とを備えた情報端末装置と、前記情報端末装置との間で情報を送受信する情報処理サーバ装置と、外部から通信ネットワークを介して情報処理サーバ装置に接続可能な外部通信装置とからなり、前記家電機器が使用されると、前記家電機器から前記情報端末装置に情報を送信し、前記家電機器からの情報をある一定期間前記情報端末装置で保持し、あらかじめ設定された入力値と前記保持した情報とを比較して異常と判断すると、前記情報端末装置から通信ネットワークを介して前記情報処理サーバ装置経由で前記外部通信装置に情報送信を行うことを特徴とする情報システムを提供するものである。
【００３１】
これによって、本発明は、それらの人体検知の状態をあるパターンとして設定することによって、そのパターンから検知状態がはずれると外部の外部通信装置に連絡することができ、その外部の人に対してその家人を気をつけておいてもらうことができ、異常状態を判断することに対する利便性、正確性、信頼性を高めることができるものである。
【００３２】
第５の発明は、家電機器に関する情報を収集する情報送受信部と、家電機器からの情報に基づいて外部通報を行う情報処理部とを備えた情報端末装置と、前記情報端末装置との間で情報を送受信する情報処理サーバ装置と、外部から通信ネットワークを介して情報処理サーバ装置に接続可能な外部通信装置とからなり、前記家電機器が使用されると、前記家電機器から前記情報端末装置に情報を送信し、前記家電機器からの情報をある一定期間前記情報端末装置で保持し、前記外部通信装置から通信ネットワークを介して前記情報処理サーバ装置経由で前記情報端末装置の情報を要求すると、前記外部通信装置は前記情報端末装置で保持された情報を受信して家電機器ごとに表示されることを特徴とする情報システムを提供するものである。
【００３３】
これによって、本発明は、家電機器として冷蔵庫、洗面所やトイレの照明、水道等からの使用情報を情報端末装置に送信することによって、外部通信装置からその使用状態をモニターすると、例えば、家のどこで何時ごろに各機器を使用したかが新しい順に一目で認識することができるので、異常状態であるかどうかを即座に判断することができ、またそれらの情報は情報端末装置のみに保存され、サーバには保存しないので、使用状態を外部通信装置を用いて容易に確認することができ、異常状態判定時の連絡に対する利便性、正確性、信頼性を向上させることができるものである。
【００３４】
第６の発明は、機器に関する情報を収集する情報送受信部と、機器からの情報に基づいて外部通報を行う情報処理部とを備えた情報端末装置と、前記情報端末装置との間で情報を送受信する情報処理サーバ装置と、外部から通信ネットワークを介して情報処理サーバ装置に接続可能な外部通信装置とからなる情報システムの制御方法において、前記機器が人体を検知するステップと、前記機器から人体検知の情報を前記情報端末装置に送信するステップと、前記機器からの情報をある一定期間前記情報端末装置で保持するステップと、前記外部通信装置から通信ネットワークを介して前記情報処理サーバ装置経由で前記情
報端末装置の情報を要求するステップと、前記情報端末装置で保持された情報を前記外部通信装置は受信して新しい情報から順に表示するステップとを備えてなる制御方法を提供するものである。
【００３５】
これによって、本発明は、各機器から人体を検知したという情報が情報端末装置にあがってきた後に、外部通信装置からその人体検知の状態をモニターすると、例えば、家のどこで何時ごろに人体を検知したかが新しい順に一目で認識することができるので、異常状態であるかどうかを即座に判断することができ、異常状態検出に対する利便性、正確性、信頼性を高めることができるものである。
【００３６】
第７の発明は、機器に関する情報を収集する情報送受信部と、機器からの情報に基づいて外部通報を行う情報処理部とを備えた情報端末装置と、前記情報端末装置との間で情報を送受信する情報処理サーバ装置と、外部から通信ネットワークを介して情報処理サーバ装置に接続可能な外部通信装置とからなる情報システムの制御方法において、前記機器が人体を検知するステップと、前記機器から人体検知の情報を前記情報端末装置に送信するステップと、前記機器からの情報をある一定期間前記情報端末装置で保持するステップと、前記外部通信装置から通信ネットワークを介して前記情報処理サーバ装置経由で前記情報端末装置の情報を要求するステップと、前記情報端末装置は保持された情報を前記外部通信装置で受信して古い情報から順に表示し、一番上には最新の情報を表示するステップとを備えてなる制御方法を提供するものである。
【００３７】
これによって、本発明は、各機器から人体を検知したという情報が情報端末装置にあがってきた後に、外部通信装置からその人体検知の状態をモニターすると、例えば、家のどこで何時ごろに人体を検知したかの最新情報を一目で認識することができるので、異常状態であるかどうかを即座に判断することができ、異常状態検出に対する利便性、正確性、信頼性を高めることができるものである。
【００３８】
第８の発明は、機器に関する情報を収集する情報送受信部と、機器からの情報に基づいて外部通報を行う情報処理部とを備えた情報端末装置と、前記情報端末装置との間で情報を送受信する情報処理サーバ装置と、外部から通信ネットワークを介して情報処理サーバ装置に接続可能な外部通信装置とからなる情報システムの制御方法において、前記機器が人体を検知するステップと、前記機器から人体検知の情報を前記情報端末装置に送信するステップと、前記機器からの情報をある一定期間前記情報端末装置で保持するステップと、あらかじめ取得された情報と前記保持した情報とを比較して異常と判断するステップと、異常と判断したときに前記情報端末装置から通信ネットワークを介して前記情報処理サーバ装置経由で前記外部通信装置に情報送信を行うステップとを備えてなる制御方法を提供するものである。
【００３９】
これによって、本発明は、それらの人体検知の状態をパターン化することによって、そのパターンから検知状態がはずれると外部の外部通信装置に連絡することができ、その外部の人に対してその家人を気をつけておいてもらうことができ、異常状態を判断することに対する利便性、正確性、信頼性を高めることができるものである。
【００４０】
第９の発明は、家電機器に関する情報を収集する情報送受信部と、家電機器からの情報に基づいて外部通報を行う情報処理部とを備えた情報端末装置と、前記情報端末装置との間で情報を送受信する情報処理サーバ装置と、外部から通信ネットワークを介して情報処理サーバ装置に接続可能な外部通信装置とからなる情報システムの制御方法において、前記家電機器を使用するステップと、前記家電機器から使用情報を前記情報端末装置に送信するステップと、前記家電機器からの情報をある一定期間前記情報端末装置で保持するステップと、あらかじめ設定された入力値と前記保持した情報とを比較して異常と判断する
ステップと、異常と判断したときに前記情報端末装置から通信ネットワークを介して前記情報処理サーバ装置経由で前記外部通信装置に情報送信を行うステップとを備えてなる制御方法を提供するものである。
【００４１】
これによって、本発明は、それらの人体検知の状態をあるパターンとして設定することによって、そのパターンから検知状態がはずれると外部の外部通信装置に連絡することができ、その外部の人に対してその家人を気をつけておいてもらうことができ、異常状態を判断することに対する利便性、正確性、信頼性を高めることができるものである。
【００４２】
第１０の発明は、家電機器に関する情報を収集する情報送受信部と、家電機器からの情報に基づいて外部通報を行う情報処理部とを備えた情報端末装置と、前記情報端末装置との間で情報を送受信する情報処理サーバ装置と、外部から通信ネットワークを介して情報処理サーバ装置に接続可能な外部通信装置とからなる情報システムの制御方法において、前記家電機器を使用するステップと、前記家電機器から使用情報を前記情報端末装置に送信するステップと、前記家電機器からの情報をある一定期間前記情報端末装置で保持するステップと、前記外部通信装置から通信ネットワークを介して前記情報処理サーバ装置経由で前記情報端末装置の情報を要求するステップと、前記情報端末装置は保持された情報を前記外部通信装置で受信して家電機器ごとに表示するステップとを備えてなる制御方法を提供するものである。
【００４３】
これによって、本発明は、家電機器として冷蔵庫、洗面所やトイレの照明、水道等からの使用情報を情報端末装置に送信することによって、外部通信装置からその使用状態をモニターすると、例えば、家のどこで何時ごろに各機器を使用したかが新しい順に一目で認識することができるので、異常状態であるかどうかを即座に判断することができ、またそれらの情報は情報端末装置のみに保存され、サーバには保存しないので、使用状態を外部通信装置を用いて容易に確認することができ、異常状態判定時の連絡に対する利便性、正確性、信頼性を向上させることができるものである。
【００４４】
第１１の発明は、第１〜５のいずれかの発明の情報システムをコンピュータに実行させるためのプログラムを提供するものである。
【００４５】
そして、プログラムであるので、電気・情報機器、コンピュータ、サーバ等のハードリソースを協働させて本発明の情報システムの少なくとも一部を容易に実現することができる。また記録媒体に記録したり通信回線を用いてプログラムを配信したりすることでプログラムの配布・更新やそのインストール作業が簡単にできる。
【００４６】
以上のような構成とすることにより、本発明によれば、各機器からの人体検知情報や各家電機器からの使用情報を情報端末装置に送信し、それらの情報を外部通信装置でモニターする時、新しい情報順に各機器を明示して表示し、即座に異常状態であるかどうかを判断することができ、さらにそれらの検知状態をパターン化することによって、そのパターンから検知状態がはずれた場合は異常であると判断して、外部通信装置に連絡することによって、検知状態のモニターおよびそれらから異常状態を判断することに対する利便性、正確性、信頼性を高めることができ、システムの信頼性を確実に向上させることができるものである。
【００４７】
すなわち、本発明は、各機器から人体を検知したという情報が情報端末装置に送信された後に、外部通信装置からその人体検知の状態をモニターすると、家のどこで何時ごろに人体を検知したかが新しい順に一目で認識することができるので、異常状態であるかどうかを即座に判断することができるというものである。
【００４８】
また、それらの人体検知の状態をパターン化することによって、そのパターンから検知状態がはずれると外部の外部通信装置に連絡することができ、その外部の人に対してその家人を気をつけておいてもらうことができ、異常状態を判断することに対する利便性、正確性、信頼性を高めるようにすることができる。
【００４９】
さらに、家電機器として冷蔵庫、洗面所やトイレの照明、水道等からの使用情報を情報端末装置に送信することによって、外部通信装置からその使用状態をモニターすると、家のどこで何時ごろに各機器を使用したかが新しい順に一目で認識することができるので、異常状態であるかどうかを即座に判断することができ、またそれらの情報は情報端末装置のみに保存され、サーバには保存されないので、使用状態を外部通信装置を用いて容易に確認することができ、異常状態判定時の連絡に対する利便性、正確性、信頼性を向上させることができるものである。
【００５０】
以下、本発明の実施の形態について、図面を参照しながら説明する。なお、この実施の形態によって本発明が限定されるものではない。
【００５１】
（実施の形態１）
図１は、本発明の第１の実施の形態における情報システムのシステム全体を概略的に示す構成説明図を示すものである。以下に本実施の形態における構成を説明する。
【００５２】
図１に示す本実施の形態の情報システムは、各家庭１００に設置された人感センサ１５、冷蔵庫１６、トイレ１７、照明１８等の機器を無線通信によって接続した情報端末装置１と、情報端末装置１を外部と接続するための回線接続手段４、外部のネットワークである宅外回線網（通信ネットワーク）１２、携帯電話等の外部の通信装置１１、情報処理サーバ装置１０とから成る。
【００５３】
この時の情報端末装置１の通信回線網は情報通信回線網であるデータ通信回線網１３、音声通信回線網１４とから成っている。この人感センサは人の存在を検知することができるものであり、人体を検知した時にその情報を情報端末装置に送信することができるものである。また、冷蔵庫、トイレ、照明はそれら各機器が使用された時にその情報を情報端末装置に送信することができるものである。
【００５４】
本情報システムは、各機器等１５〜１８と無線通信によって接続されており、各機器からの情報収集を行い、各機器へのデータ送信を行う。これらの収集された情報や入力部によって入力されたデータ等を処理し、データ通信回線網１３、回線接続手段４および宅外回線網１２を経由して外部にある情報処理サーバ装置１０および携帯電話等の外部の通信装置１１と送受信することができるものである。
【００５５】
具体的には、情報端末装置の送受信は、アナログ電話回線網を用いて回線接続手段４であるモデム、スプリッター等を介してＩＳＰ（インターネットサービスプロバイダ）にダイヤルアップ接続（ＰＰＰ接続）し、そこから宅外回線網（ＷＥＢ）を通じてセンターサーバ装置にＴＣＰ／ＩＰ接続することができるものである。また、別のブロードバンドであるＡＤＳＬ回線網を用いてデータ通信回線網１３、回線接続手段４を介して直接に情報処理サーバ装置１０にＡＤＳＬ接続することもできるものである。さらに、情報端末装置の送受信の接続回線網はＦＴＴＨのような光ファイバー網でもよい。
【００５６】
また、各機器１５〜１８からの情報収集を行い、各機器からのデータ受信を行う。これらの収集された情報によって入力されたデータ等を処理し、音声通信回線網１４、回線接続手段４および宅外回線網１２を経由して携帯電話等の外部の通信装置１１に連絡することができるものである。
【００５７】
また、端末機器は給湯器、温水利用システム、ガスメータ、電力メータ、水道メータ等でもよい。
【００５８】
このような情報システムにおいて、機器に関する機器情報を収集する情報送受信部と、機器からの情報に基づいて機器情報を記憶しておく情報処理部とを備えた情報端末装置と、情報端末装置との間で情報を送受信する情報処理サーバ装置と、外部から通信ネットワークを介して情報処理サーバ装置に接続可能な外部通信装置とからなり、外部通信装置から情報端末装置の情報をモニターしたり、情報端末装置から外部通信装置に情報を送信したりすることができる情報システムである。
【００５９】
例えば、家の居間に人感センサ１５を設置しておき、人感センサ１５が人体を検知するとその人感情報を情報端末装置１に送信し、情報端末装置１ではその情報を受信して、ある期間保存しておく。その後、携帯電話１１で情報端末装置１に保存されたこれらの人感情報をモニターするために、これらの情報をデータ通信回線網１３を経由して情報端末装置１から携帯電話１１に送信する。
【００６０】
この時、最新の２４時間の情報を送信し、情報処理サーバ装置１０側には情報を保存せずに、携帯電話１１にはセンサの設置場所等を最新のデータ順に明示することによって、モニターしてすぐに異常状態かどうかを判断することができる。
【００６１】
すなわち、本実施の形態は、各機器から人体を検知したという情報が情報端末装置１に送信された後に、携帯電話１１からその人体検知の状態をモニターすると、家のどこで何時ごろに人体を検知したかが新しい順に一目で認識することができるので、異常状態であるかどうかを即座に判断することができるというものであり、異常検知の判断に対する利便性、正確性、信頼性を高めることができるものである。
【００６２】
この宅外から家の内部にいる家人の安否を問い合わせる機能として、現在の時間帯から２４時間前までの反応したセンサの表示を行うことができる。携帯電話からの問い合わせ要求に対して情報端末装置１からデータを送信し、最新の２４時間のデータを表示する。情報処理サーバ装置１０側にはデータは残さない。
【００６３】
次に以上のような本実施の形態の情報端末装置１について図面を参照しながら説明する。図２は本発明の第１の実施の形態で用いる情報端末装置の機能ブロック図を示すものである。以下に本実施の形態における構成を説明する。
【００６４】
図２に示す本実施の形態の情報端末装置１は、データ通信処理部２３、音声通信処理部２４、情報処理部２５、情報収集部２６、情報送信部２７、情報送受信部２８、画像表示部３０とから構成されている。
【００６５】
本情報端末装置１は、各機器等と無線通信２９によって接続されており、機器としての人感センサ３６等からの情報収集を情報収集部２６によって行い、機器としての人感センサ３６等へのデータ送信を情報送信部２７によって行う。
【００６６】
人感センサ３６が人体を検知すると、この人感センサ３６の情報送信部３３から情報を送信し、情報端末装置１の情報収集部２６で受信を行い、情報処理部２５で人感センサ３６からの情報をある一定期間保持し、外部通信装置としての携帯電話から通信ネットワークを介して情報処理サーバ装置、およびデータ通信回線網２０経由で情報端末装置１に情報を要求すると、データ通信処理部２３から送信する。
【００６７】
これらの収集された情報等は情報処理部２５によって処理し、データ通信処理部２３を用いて、ルーター２、回線接続手段３を経由して外部に送受信することができる。この時の通信回線網はＡＤＳＬ等のデータ通信回線網２０である。
【００６８】
また、情報送受信部２８を用いて機器からの情報を送受信した後、その機器からの人体検知情報を情報処理部２５で処理し保存することができる。
【００６９】
このような情報端末装置１において、人体を検知することができる人感センサ１５からの情報で、人体を検知した人感情報が情報送受信部２８を経由して送信されると、情報端末装置１の情報処理部２５で保存される。
【００７０】
外部の携帯電話１１から情報処理サーバ装置１０を経由して、情報端末装置１に人感情報を問い合わせると、情報端末装置１から情報処理サーバ装置１０を経由して携帯電話１１に、最新のデータ順に送信し、人体を検知した場所を明示して表示させることができる。
【００７１】
次に以上のような本実施の形態の制御方法について図面を参照しながら説明する。図３は同実施の形態に係るシステムの処理手順を示すフローチャートを示すものである。以下に本実施の形態におけるフローを説明する。
【００７２】
まず、機器として人体を検知することができる人感センサ１５を玄関、寝室、居間、トイレ等の上に設置し情報端末装置１に登録する。登録した後、人感センサ１５を起動させて人感情報を取得できる状態にする（ステップＳ１）。起動した後、人感センサ１５が人体を検知したかどうか判定する（ステップＳ２）。
【００７３】
人感センサ１５が人体を検知すると、この人感情報を情報端末装置１に無線で送信する（ステップＳ３）。この送信された人感情報は情報端末装置１で保存される(ステップＳ４)。
【００７４】
次に、外部の携帯電話１１から通信ネットワーク１２を介して情報処理サーバ装置１０に接続する（ステップＳ５）。この携帯電話１１から情報処理サーバ装置１０を介して、情報端末装置１に保存された人感情報の送信を要求する（ステップＳ６）。この情報端末装置１が取得した人感センサ１５の人感情報は、情報端末装置１からデータ通信回線網１３、情報処理サーバ装置１０を介して携帯電話１１に送信され、最新のデータ順に検知された場所を明示して表示される（ステップＳ７）。
【００７５】
この宅外からの安否問合せ機能は、携帯電話１１の操作により、情報処理サーバ装置１０を介して情報端末装置１に安否確認を要求するものである。携帯電話１１からの要求に対して、その場で、安否確認の要求を情報処理サーバ装置１０が受けつけた旨の表示がなされ、宅外確認機能を行うことによって、情報処理サーバ装置１０にアップロードされた情報を携帯電話１１上で確認することができる。
【００７６】
情報処理サーバ装置１０へのアップロード機能は、人感センサ１５からの通知（家人の検知）を受けると、１１時台,１２時台などのように時間帯別に、かつ、人感センサ１５の設置場所（グルーピング）別に、情報端末装置１内に最新の２４時間分を保持し、携帯電話１１を用いて宅外より情報処理サーバ装置１０を介して情報端末装置１に問い合わされたタイミングに、その時点で情報端末装置１が保持する最新の２４時間分の人感情報データを情報処理サーバ装置１０に一気にアップロードするものである。
【００７７】
アップロードする内容は、その時点での情報端末装置１の保持する２４時間分のデータ
である。なお、２４時間中に人感センサ１５の電池が消耗したような場合など人感センサ１５による検知回数がゼロ回の時間帯がある場合にも、そのままのデータを情報処理サーバ装置１０にアップロードする。
【００７８】
例えば、１３時５０分に携帯電話１１から情報処理サーバ装置１０を介して人感情報確認の問い合わせがあった場合にアップロードするデータは、本日の１３時台から前日の１２時台までのデータをアップロードする。１３時台のデータとして確定はされていないが、問い合わせがきた時点までの２４時間分のデータをアップロードする。
【００７９】
携帯電話１１により、２４時間の安否確認状態を情報処理サーバ装置１０に問い合わせると、情報処理サーバ装置１０はその場で情報端末装置１に確認し、情報端末装置１は把握している２４時間分のデータを情報処理サーバ装置１０に折り返し転送して、携帯電話１１ではその場で、２４時間分の安否確認データを閲覧することが可能である。
【００８０】
この時、人感情報は最新の情報から順番に送信され、携帯電話１１には新しい順に表示される。また、人感センサ１５の設置場所を情報端末装置１に登録しているので、その人感センサ１５の設置場所を携帯電話１１に明示することができる。
【００８１】
図４は同実施の形態に係る携帯電話１１の画面の模式図を示すものである。表示は最新のデータから順に時系列で表示され、人感センサの設置場所名を時間単位ごとに左詰で表示することができる。表示されていない場所は検知されていないことがわかるので、一目で最新の人感情報から安否の確認をすることができる。
【００８２】
例えば、１３時４０分に携帯電話１１から情報処理サーバ装置１０を介して人感情報確認の問い合わせがあった場合、本日の１３時台からのデータをアップロードする。１３時台のデータとして確定はされていないが、問い合わせがきた時点までの最大２４時間分のデータをアップロードする。
【００８３】
こうすることによって、各機器から人体を検知したという情報が情報端末装置１に送信された後に、携帯電話１１からその人体検知の状態をモニターすると、家のどこで何時ごろに人体を検知したかが新しい順に一目で認識することができるので、異常状態であるかどうかを即座に判断することができ、異常検知の判断に対する利便性、正確性、信頼性を高め、システムの信頼性を確実に向上させることができる。
【００８４】
以上のような構成・手順とすることにより、本実施の形態によれば、各機器から人体を検知したという情報が情報端末装置に送信された後に、携帯電話からその人体検知の状態をモニターすると、家のどの場所で何時ごろに人体を検知したかが新しい順に一目で認識することができるので、異常状態であるかどうかを即座に判断することができるというものである。従って、異常検知の判断に対する利便性、正確性、信頼性を高めることができ、システムの信頼性を確実に向上させることができるものである。
【００８５】
（実施の形態２）
実施の形態２の情報システムについて説明する。以下に本実施の形態における構成を説明する。
【００８６】
本実施の形態２の情報システムは、図１と同様に各家庭１００に設置された人感センサ１５、冷蔵庫１６、トイレ１７、照明１８等の機器を無線通信によって接続した情報端末装置１と、情報端末装置１を外部と接続するための回線接続手段４、外部のネットワークである宅外回線網（通信ネットワーク）１２、携帯電話等の外部の通信装置１１、情報処理サーバ装置１０とから成る。図１と同じものについて詳細な説明は省く。
【００８７】
例えば、家のリビング（洋室）に人感センサ１５を設置しておき、人感センサ１５が人体を検知するとその人感情報を情報端末装置１に送信し、情報端末装置１ではその情報を受信して、ある期間保存しておく。その後携帯電話１１で情報端末装置１に保存されたこれらの人感情報をモニターするために、これらの情報をデータ通信回線網１３を経由して情報端末装置１から携帯電話１１に送信する。
【００８８】
この時、最新の２４時間の情報を送信し、情報処理サーバ装置１０側には情報を保存せずに、携帯電話１１には最新のデータを一番最初に表示し、人感センサ１５の設置場所等を明示することによって、モニターしてすぐに異常状態かどうかを判断することができる。
【００８９】
すなわち、本実施の形態は、各機器１５〜１８から人体を検知したという情報が情報端末装置１に送信された後に、携帯電話１１からその検知の状態をモニターすると、家のどこで何時ごろに人体を検知したかわかり、しかも最新の検知情報を一番最初に表示することによって、一目で検知状態を認識することができるので、異常状態であるかどうかを即座に判断することができるというものであり、異常検知の判断に対する利便性、正確性、信頼性を高めることができるものである。
【００９０】
この宅外から家の内部にいる家人の安否を問い合わせる機能として、現在の時間帯から最大２４時間前までの反応したセンサの表示を行うことができる。携帯電話１１からの問い合わせ要求に対して情報端末装置１からデータを送信し、最新の２４時間のデータを表示する。情報処理サーバ装置１０側にはデータは残さない。
【００９１】
次に、本実施の形態の制御方法について説明する。以下に本実施の形態におけるフローを説明する。
【００９２】
図３と同様にまず、機器として人体を検知することができる人感センサを洋室、和室、台所、トイレ等の上に設置し情報端末装置に登録する。登録した後、人感センサを起動させて人感情報を取得できる状態にする（ステップＳ１）。起動した後、人感センサが人体を検知したかどうか判定する（ステップＳ２）。人感センサが人体を検知すると、この人感情報を情報端末装置に無線で送信する（ステップＳ３）。この送信された人感情報は情報端末装置で保存される(ステップＳ４)。次に、外部の携帯電話から通信ネットワークを介して情報処理サーバ装置に接続する（ステップＳ５）。この携帯電話から情報処理サーバ装置を介して、情報端末装置に保存された人感情報の送信を要求する（ステップＳ６）。この情報端末装置が取得した人感センサの人感情報は、情報端末装置からデータ通信回線網、情報処理サーバ装置を介して携帯電話に送信され、最新のデータを一番最初に表示し、センサの設置場所等を明示して表示される（ステップＳ７）。また、冷蔵庫、トイレ、照明において、機器の使用情報を情報端末装置に送信し、携帯電話で使用状態を表示させることができる。
【００９３】
この情報端末装置１が取得した人感センサ１５の人感情報は、情報端末装置からデータ通信回線網１３、情報処理サーバ装置１０を介して携帯電話１１に送信され、最新のデータを一番最初に表示し、センサの設置場所等を明示して表示される（ステップＳ７）。また、冷蔵庫、トイレ、照明において、機器の使用情報を情報端末装置に送信し、携帯電話で使用状態を表示させることができる。
【００９４】
アップロードする内容は、その時点での情報端末装置１の保持する２４時間分のデータである。なお、２４時間中に人感センサ１５の電池が消耗したような場合など人感センサ１５による検知回数がゼロ回の時間帯がある場合にも、そのままのデータを情報処理サー
バ装置１０にアップロードする。
【００９５】
図５（ａ）（ｂ）は同実施の形態に係る携帯電話画面の模式図を示すものである。表示は古いデータから順に時系列で表示され、人感センサの設置場所名を時間単位ごとに左詰で表示することができる。表示されていない場所は検知されていないことがわかり、さらに、最新の検知情報を一番最初に表示させることができるので、一目で最新の人感情報から安否の確認をすることができる。
【００９６】
例えば、１０時１１分に携帯電話１１から情報処理サーバ装置１０を介して人感情報の確認の問い合わせがあった場合にアップロードするデータは、前日の１１時台から本日の１０時台までのデータをアップロードする。１０時台のデータとして確定はされていないが、問い合わせがきた時点までの最大２４時間分のデータをアップロードする。この時携帯電話１１の画面では、最新の検知情報を一番最初に表示する。
【００９７】
携帯電話１１により、２４時間の安否確認状態を情報処理サーバ装置１０に問い合わせると、情報処理サーバ装置１０はその場で情報端末装置１に確認し、情報端末装置１は把握している２４時間分のデータを情報処理サーバ装置１０に折り返し転送して、携帯電話１１ではその場で、２４時間分の安否確認データを閲覧することが可能である。
【００９８】
この時、人感情報は保存された情報から順番に送信され、携帯電話１１には古い順に表示される。この時、異常かどうかが一目で見てわかるように、最新の検知情報を最初に表示する。また、人感センサ１５の設置場所を情報端末装置１に登録しているので、その人感センサ１５の設置場所を携帯電話１１に明示することができる。
【００９９】
なお、情報処理サーバ装置１０にアップロードするタイミングは、前記した宅外機能の中にある宅外安否問合せ機能にて、携帯電話１１からの問い合わせをトリガーに、情報処理サーバ装置１０からの問い合わせがあった場合にアップロードする。
【０１００】
また、機器登録されているデータ台数に関係なく全てのデータを情報処理サーバ装置１０にアップロードする。
【０１０１】
こうすることによって、各機器１５〜１８から人体を検知したという情報が情報端末装置１に送信された後に、携帯電話１１からその人体検知の状態をモニターすると、家のどこで何時ごろに人体を検知したかが最新の検知情報を最初に表示しているので、一目で認識することができ、異常状態であるかどうかを即座に判断することができ、異常検知の判断に対する利便性、正確性、信頼性を高め、システムの信頼性を確実に向上させることができる。
【０１０２】
以上のような構成・手順とすることにより、本実施の形態によれば、各機器から人体を検知したという情報が情報端末装置に送信された後に、携帯電話からその人体検知の状態をモニターすると、家のどの場所で何時ごろに人体を検知したかが最初に表示されている最新の検知情報を一目で認識することができるので、異常状態であるかどうかを即座に判断することができるというものである。
【０１０３】
従って、異常検知の判断に対する利便性、正確性、信頼性を高めることができ、システムの信頼性を確実に向上させることができるものである。
【０１０４】
（実施の形態３）
実施の形態３の情報システムについて説明する。以下に本実施の形態における構成を説明する。
【０１０５】
本実施の形態の情報システムは、図１と同様に各家庭１００に設置された人感センサ１５、冷蔵庫１６、トイレ１７、照明１８等の機器を無線通信によって接続した情報端末装置１と、情報端末装置１を外部と接続するための回線接続手段４、外部のネットワークである宅外回線網（通信ネットワーク）１２、携帯電話等の外部の通信装置１１、情報処理サーバ装置１０とから成る。この時の情報端末装置１の通信回線網は情報通信回線網であるデータ通信回線網１３、音声通信回線網１４とから成っている。この人感センサは人の存在を検知することができるものであり、人体を検知した時にその情報を情報端末装置に送信することができるものである。また、冷蔵庫、トイレ、照明はそれら各機器が使用された時にその情報を情報端末装置に送信することができるものである。実施の形態１と同じについては説明を省略する。
【０１０６】
各家庭１００の居間に人感センサ１５を設置しておき、人感センサ１５が人体を検知するとその人感情報を情報端末装置１に送信し、情報端末装置１ではその情報を受信して、ある期間保存しておく。
【０１０７】
その後、例えば1ヶ月間保存して、その情報から行動パターンを推測し、次に人感センサの情報が来なかったりした場合、これらの情報をデータ通信回線網１３を経由して情報端末装置１から携帯電話１１に送信する。この時、その行動パターンから推測して人体が検知されていないことを送信することによって、受信した人はモニターしてすぐに異常状態かどうかを判断することができる。
【０１０８】
情報端末装置１の情報処理部２５で保存している人体検知の状態、たとえば曜日ごと、時間ごとにどのセンサが反応したかという人体検知情報を、ある一定期間取得することによって最大公約数的なデータとしてパターン化することができる。このパターン化したデータと取得した情報とを比較することによって異常状態かどうかを判断することができる。
【０１０９】
すなわち、本実施の形態は、それらの人体検知の状態をたとえば曜日ごとに人体状態をパターン化することによって、そのパターンから検知状態がはずれると外部の携帯電話１１に連絡することができ、その外部の人に対してその家人を気をつけておいてもらうことができ、異常状態を判断することに対する利便性、正確性、信頼性を高めることができるものである。
【０１１０】
次に、本実施の形態の制御方法について図面を参照しながら説明する。図６は同実施の形態に係るシステムの処理手順を示すフローチャートを示すものである。以下に本実施の形態におけるフローを説明する。
【０１１１】
まず、機器として人体を検知することができる人感センサ１５を玄関、寝室、居間、トイレ等の上に設置し情報端末装置１に登録する。登録した後、人感センサ１５を起動させて人感情報を取得できる状態にする（ステップＳ１１）。
【０１１２】
起動した後、人感センサ１５が人体を検知したかどうか判定する（ステップＳ１２）。人感センサが人体を検知すると、この人感情報を情報端末装置１に無線で送信する（ステップＳ１３）。この送信された人感情報をパターン化することによって情報端末装置で保存する(ステップＳ１４)。
【０１１３】
次に、これらパターン化された人感情報をもとに、新たに取得した人感情報とを比較することによって（ステップＳ１５）、異常かどうかを判断する。本来ならば人感センサが人体を検知するはずの時に人体を検知していないことがわかり、異常と判断すると（ステ
ップＳ１６）、情報端末装置１に登録されている携帯電話１１に、情報端末装置１からデータ通信回線網１３、情報処理サーバ装置１１を介して電子メールの文字メッセージによる通知を行うものである（ステップＳ１７）。
【０１１４】
この宅内からの緊急連絡機能は、複数の人感センサ１５からの人体検知情報をパターン化して、新たに取得した人感情報とを比較することによって、例えば１つの人感センサも家人検知が全くなかった場合、予め登録された通知先に電子メールの文字メッセージによる通知を行うものである。情報端末装置１が異常と判断すると携帯電話１１に即連絡することができるので、受信した人はモニターしてすぐに異常状態かどうかを判断することができる。
【０１１５】
例えば、平日の６時台から8時台まで寝室と台所とトイレの人感センサ１５が、必ず反応しているというパターンに対して、ある平日のこの時間帯においてこれらの人感センサ１５が全く反応せず、さらに1時間たっても何も人体を検知しなければ、情報端末装置１では異常かもしれないと判断し、情報端末装置１に登録されている携帯電話１１に電子メールの文字メッセージによる通知を行い、受信者に対して注意喚起を促すことができる。
【０１１６】
以上のような構成・手順とすることにより、本実施の形態によれば、人感センサからの人体検知の状態をパターン化することによって、そのパターンから検知状態がはずれると外部の携帯電話に連絡することができ、その外部の人に対してその家人を気をつけておいてもらうことができ、異常状態であるかどうかを即座に判断することができるというものである。従って、異常検知の判断に対する利便性、正確性、信頼性を高めることができ、システムの信頼性を確実に向上させることができるものである。
【０１１７】
（実施の形態４）
実施の形態４の情報システムについて説明する。以下に本実施の形態における構成を説明する。
【０１１８】
本実施の形態の情報システムは、図１と同様に各家庭１００に設置された人感センサ１５、冷蔵庫１６、トイレ１７、照明１８等の機器を無線通信によって接続した情報端末装置１と、情報端末装置１を外部と接続するための回線接続手段４、外部のネットワークである宅外回線網（通信ネットワーク）１２、携帯電話等の外部の通信装置１１、情報処理サーバ装置１０とから成る。この時の情報端末装置１の通信回線網は情報通信回線網であるデータ通信回線網１３、音声通信回線網１４とから成っている。この人感センサは人の存在を検知することができるものであり、人体を検知した時にその情報を情報端末装置に送信することができるものである。また、冷蔵庫、トイレ、照明はそれぞれ冷蔵庫の扉の開閉、トイレの水道の使用、照明の点灯の情報を情報端末装置に送信することができるものである。実施の形態１と同じについては説明を省略する。
【０１１９】
各家庭１００の居間に人感センサ１５を設置しておき、人感センサ１５が人体を検知するとその人感情報を情報端末装置１に送信し、情報端末装置１ではその情報を受信して、ある期間保存しておく。また、冷蔵庫１６の開閉状況を情報端末装置１に送信し、ある期間保存しておく。
【０１２０】
その後、例えば1ヶ月間保存して、その情報から行動パターンを推測し、次に人感センサ１５の情報が来なかったり、冷蔵庫１６の開閉状況が全くなかった場合、これらの情報をデータ通信回線網１３を経由して情報端末装置１から携帯電話１１に送信する。この時、その行動パターンから推測して人体が検知されていないことを送信することによって、受信した人はモニターしてすぐに異常状態かどうかを判断することができる。
【０１２１】
情報端末装置１の情報処理部２５で保存している人体検知や機器使用の状態、たとえば曜日ごと、時間ごとにどのセンサが反応したか、どの機器が使用されたかという人体検知情報、機器使用情報を、ある一定期間取得することによって最大公約数的なデータとして人体の行動をパターン化することができる。このパターン化したデータと取得した情報とを比較することによって異常状態かどうかを判断することができる。
【０１２２】
すなわち、本実施の形態は、それらの人体検知の状態をたとえば曜日ごとに人体状態や各機器の使用状態をパターン化することによって、そのパターンから検知状態がはずれると外部の携帯電話に連絡することができ、その外部の人に対してその家人を気をつけておいてもらうことができ、異常状態を判断することに対する利便性、正確性、信頼性を高めることができるものである。
【０１２３】
次に、本実施の形態の制御方法について図面を参照しながら説明する。図７は同実施の形態に係るシステムの処理手順を示すものである。以下に本実施の形態におけるフローを説明する。
【０１２４】
まず、機器として冷蔵庫１６、トイレ１７、照明１８を情報端末装置１に登録する。冷蔵庫１６、トイレ１７、照明１８はそれぞれ冷蔵庫１６の扉の開閉、トイレ１７の水道の使用、照明１８の点灯の情報を情報端末装置１に送信する。登録した後、情報端末装置１において機器１６〜１８からの情報受信の設定を行い、例えば１０分に１回だけ機器からの情報を受信するというように設定を行う（ステップＳ２１）。
【０１２５】
設定完了後、冷蔵庫１６中の食品を出すために扉を開く（ステップＳ２２）と、その冷蔵庫１６の扉開の情報が情報端末装置１に無線で送信される（ステップＳ２３）。その情報を受信した情報端末装置１では、それらの情報を保持しておく(ステップＳ２４)。
【０１２６】
さらに、ある一定期間、例えばＴ１の期間情報を保存し、それらの情報より人体行動のパターン化を行う。
【０１２７】
次に、情報端末装置１が新しい情報を取得すると、それらの情報と今までの情報から得られた行動パターンとを比較して（ステップＳ２５）、本来ならば冷蔵庫１６の扉を開けて食品を出すはずの時に冷蔵庫１６を使用していないことがわかり、異常と判断するとその情報を情報端末装置１に登録されている携帯電話１１に、情報端末装置１からデータ通信回線網１３、情報処理サーバ装置１０を介して電子メールの文字メッセージとして通知を行うものである（ステップＳ２６）。
【０１２８】
この宅内からの緊急連絡機能は、複数の人感センサ１５からの人体検知情報（図示しない）、や機器からの使用状況をパターン化して、新たに取得した人感情報や機器からの使用状況とを比較することによって、例えば１つの人感センサ１５も家人検知をせず、機器の使用状況が全くなかった場合、予め登録された通知先に電子メールの文字メッセージによる通知を行うものである。情報端末装置１が異常と判断すると携帯電話１１に即連絡することができるので、受信した人はモニターしてすぐに異常状態かどうかを判断することができる。
【０１２９】
例えば、平日の６時台から8時台まで寝室と台所とトイレの人感センサ１５が必ず反応し、冷蔵庫１６の扉が開き、トイレ１７の水道が使用されるというパターンに対して、ある平日のこの時間帯においてこれらの人感センサ１５が全く反応せず、冷蔵庫１６の扉も開かず、トイレ１７の水道も使用されてなく、さらに1時間たっても何も人体を検知せず、機器の使用状況もなければ、情報端末装置１では異常かもしれないと判断し、情報端末装置１に登録されている携帯電話１１に電子メールの文字メッセージによる通知を行い、
受信者に対して注意喚起を促すことができる。
【０１３０】
以上のような構成・手順とすることにより、本実施の形態によれば、人感センサからの人体検知の状態や各機器からの使用状況をパターン化することによって、そのパターンから検知状態がはずれると外部の携帯電話に連絡することができ、その外部の人に対してその家人を気をつけておいてもらうことができ、異常状態であるかどうかを即座に判断することができるというものである。従って、異常検知の判断に対する利便性、正確性、信頼性を高めることができ、システムの信頼性を確実に向上させることができるものである。
【０１３１】
（実施の形態５）
実施の形態５の情報システムについて説明する。以下に本実施の形態における構成を説明する。
【０１３２】
本実施の形態の情報システムは、図１と同様に各家庭１００に設置された人感センサ１５、冷蔵庫１６、トイレ１７、照明１８等の機器を無線通信によって接続した情報端末装置１と、情報端末装置１を外部と接続するための回線接続手段４、外部のネットワークである宅外回線網（通信ネットワーク）１２、携帯電話等の外部の通信装置１１、情報処理サーバ装置１０とから成る。この時の情報端末装置１の通信回線網は情報通信回線網であるデータ通信回線網１３、音声通信回線網１４とから成っている。この人感センサは人の存在を検知することができるものであり、人体を検知した時にその情報を情報端末装置に送信することができるものである。また、冷蔵庫、トイレ、照明はそれぞれ冷蔵庫の扉の開閉、トイレ便座への着座、照明の点灯の情報を情報端末装置に送信することができるものである。実施の形態１と同じについては説明を省略する。
【０１３３】
例えば、家のリビング（洋室）に照明１８を設置しておき、照明１８が点灯するとその機器情報を情報端末装置１に送信し、情報端末装置１ではその情報を受信して、ある期間保存しておく。その後携帯電話１１で情報端末装置１に保存されたこれらの機器情報をモニターするために、これらの情報をデータ通信回線網１３を経由して情報端末装置１から携帯電話１１に送信する。この時、最新の２４時間の情報を送信し、情報処理サーバ装置１０側には情報を保存せずに、携帯電話１１には最新のデータから順番に表示し、照明の設置場所等を明示することによって、モニターしてすぐに異常状態かどうかを判断することができる。
【０１３４】
すなわち、本実施の形態は、各機器から人体を検知したり、機器を使用したという情報が情報端末装置に送信された後に、携帯電話からその検知の状態をモニターすると、家のどこで何時ごろに人体を検知したり機器が使用されたかわかり、しかも最新の検知情報から順番に表示することによって、一目で検知状態を認識することができるので、異常状態であるかどうかを即座に判断することができるというものであり、異常検知の判断に対する利便性、正確性、信頼性を高めることができるものである。
【０１３５】
この宅外から家の内部にいる家人の安否を問い合わせる機能として、現在の時間帯から最大２４時間前までの動作した機器の表示を行うことができる。携帯電話からの問い合わせ要求に対して情報端末装置からデータを送信し、最新の２４時間のデータを表示する。情報処理サーバ装置側にはデータは残さない。
【０１３６】
次に、本実施の形態の制御方法について図面を参照しながら説明する。図８は同実施の形態に係るシステムの処理手順を示すフローチャートを示すものである。以下に本実施の形態におけるフローを説明する。
【０１３７】
まず、機器として照明１８をリビングの天井に設置し、その照明機器１８を情報端末装
置１に登録する。この登録によって、この照明１８の点灯情報は情報端末装置１に送信されるようになる。情報端末装置１に登録した後、照明１８を点灯させて点灯情報を送信できる状態にする（ステップＳ３１）。
【０１３８】
照明１８を点灯した後、この照明点灯情報を情報端末装置１に無線で送信する（ステップＳ３２）。この送信された機器情報は情報端末装置１で保存される。
【０１３９】
次に、照明１８を消灯すると(ステップＳ３３)、この照明消灯情報は情報端末装置１に無線で送信される（ステップＳ３４）。これらの照明の機器情報は情報端末装置１で保存される。
【０１４０】
次に、外部の携帯電話１１から通信ネットワーク経由で情報処理サーバ装置１０を介して情報端末装置１に接続する（ステップＳ３５）。この携帯電話１１から情報処理サーバ装置１０を介して、情報端末装置１に保存された機器情報の送信を要求する。
【０１４１】
この情報端末装置が取得した照明１８の機器情報は、情報端末装置１からデータ通信回線網１３、情報処理サーバ装置１０を介して携帯電話１１に送信され、最新のデータの順番に表示され、照明の設置場所等を明示して表示される（ステップＳ３６）。
【０１４２】
また、図示しないが、人感センサ１５は人体を検知した情報を、冷蔵庫１６、トイレ１７においては、それぞれ冷蔵庫１６の扉の開閉、トイレ１７便座への着座の情報を情報端末装置１に送信し、携帯電話１１で使用状態を表示させることができる。
【０１４３】
この宅外からの安否問合せ機能は、携帯電話１１の操作により、情報処理サーバ装置１０を介して情報端末装置１に安否確認を要求するものである。携帯電話１１からの要求に対して、その場で、安否確認の要求を情報処理サーバ装置１０が受けつけた旨の表示がなされ、宅外確認機能を行うことによって、情報処理サーバ装置１０にアップロードされた情報を携帯電話上で確認することができる。
【０１４４】
情報処理サーバ装置１０へのアップロード機能は、人感センサ１５や各機器１６〜１８からの情報を受けると、１１時台,１２時台などのように時間帯別に、かつ、人感センサ１５や各機器１６〜１８の設置場所（グルーピング）別に、情報端末装置１内に最新の２４時間分を保持し、携帯電話１１を用いて宅外より情報処理サーバ装置１０を介して情報端末装置１に問い合わされたタイミングに、その時点で情報端末装置１が保持する最新の２４時間分のデータ情報を情報処理サーバ装置１０に一気にアップロードするものである。
【０１４５】
アップロードする内容は、その時点での情報端末装置１の保持する最大２４時間分のデータである。なお、２４時間中に人感センサ１５の電池が消耗したような場合など人感センサ１５による検知回数がゼロ回の時間帯がある場合にも、そのままのデータを情報処理サーバ装置１０にアップロードする。
【０１４６】
携帯電話１１により、２４時間の安否確認状態を情報処理サーバ装置１０に問い合わせると、情報処理サーバ装置１０はその場で情報端末装置１に確認し、情報端末装置１は把握している２４時間分のデータを情報処理サーバ装置１０に折り返し転送して、携帯電話１１ではその場で、２４時間分の安否確認データを閲覧することが可能です。
【０１４７】
この時、機器情報は最新の情報から順番に送信され、携帯電話１１には新しい順に表示される。また、各機器の設置場所を情報端末装置１に登録しているので、その各機器の設置場所を携帯電話１１に明示することができる。
【０１４８】
図９は同実施の形態に係る携帯電話１１画面の模式図を示すものである。表示は最新のデータから順に時系列で表示され、各機器の設置場所名と冷蔵庫やトイレの機器名を時間単位ごとに左詰で表示することができる。表示されていない場所は検知されていないことがわかるので、一目で最新の機器情報から安否の確認をすることができる。
【０１４９】
例えば、１３時１０分に携帯電話１１から情報処理サーバ装置１０を介して機器使用状況確認の問い合わせがあった場合、本日の１３時台からのデータをアップロードする。１３時台のデータとして確定はされていないが、問い合わせがきた時点から最大２４時間分のデータをアップロードする。
【０１５０】
なお、情報処理サーバ装置１０にアップロードするタイミングは、前記した宅外機能の中にある宅外安否問合せ機能にて、携帯電話１１からの問い合わせをトリガーに、情報処理サーバ装置１０からの問い合わせがあった場合に情報端末装置１からアップロードする。
【０１５１】
また、機器登録されている機器台数に関係なく全てのデータを情報処理サーバ装置１０にアップロードする。
【０１５２】
こうすることによって、各機器から使用状態を検知したという情報が情報端末装置１に送信された後に、携帯電話１１からその機器情報の使用状況をモニターすると、家のどこで何時ごろにどの機器を使用したかが新しい順に一目で認識することができるので、異常状態であるかどうかを即座に判断することができ、異常検知の判断に対する利便性、正確性、信頼性を高め、システムの信頼性を確実に向上させることができる。
【０１５３】
以上のような構成・手順とすることにより、本実施の形態によれば、家電機器として冷蔵庫、洗面所やトイレの照明、水道等からの使用情報を情報端末装置に送信することによって、携帯電話からその使用状態をモニターすると、家のどこで何時ごろに各機器を使用したかが新しい順に一目で認識することができるので、異常状態であるかどうかを即座に判断することができ、またそれらの情報は情報端末装置のみに保存され、サーバには保存されないので、使用状態を携帯電話を用いて容易に確認することができ、異常状態判定時の連絡に対する利便性、正確性、信頼性を向上させることができるものである。従って、異常検知の判断に対する利便性、正確性、信頼性を高めることができ、システムの信頼性を確実に向上させることができるものである。
【０１５４】
なお、今までの実施の形態ではブロードバンドの通信ネットワークとしてＡＤＳＬで説明したが、これに限らずあらゆる通信方式であってもよい。
【０１５５】
また、これらの情報端末装置、情報システム、制御方法を情報端末装置の情報処理部で行うためには、情報端末装置内のＣＰＵコンピュータに実行させるためのプログラムを記録したことを特徴とするコンピュータ読み取り可能な独自のプログラムが必要である。本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバ等のハードリソースを協働させるプログラムの形態で実施してもよい。プログラムの形態であれば、磁気メディアや光メディアなどの記録媒体に記録したり通信ネットワークなどの通信回線を用いて配信することで新しい機能の配布・更新やそのインストール作業が簡単にできる。
【産業上の利用可能性】
【０１５６】
以上のように、本発明にかかる情報システム、制御方法、およびそのプログラムは、情報端末装置が各機器からの人体検知情報や使用情報を受信した後に、それらの情報を外部
通信装置でモニターする時、新しい情報順に各機器を明示して表示し、さらにそれらの検知状態をパターン化することによって、そのパターンから検知状態がはずれた場合は異常であると判断して、外部通信装置に連絡することによって、検知状態のモニターおよびそれらから異常状態を判断することを容易にしたものであり、それらに対する利便性、正確性、信頼性を高めることができ、システムの信頼性を確実に向上させることができ、家庭内全てのネットワークシステムに対しても有用である。
【図面の簡単な説明】
【０１５７】
【図１】本発明の第1の実施の形態に係る情報システム全体を概略的に示す構成説明図
【図２】同実施の形態で用いる情報端末装置の機能ブロック図
【図３】同実施の形態に係るシステムの処理手順を示すフローチャート
【図４】同実施の形態に係る携帯電話の表示画面の一例を示す図
【図５】本発明の第２の実施の形態に係る携帯電話の表示画面の一例を示す図
【図６】本発明の第３の実施の形態に係るシステムの処理手順を示すフローチャート
【図７】本発明の第４の実施の形態に係るシステムの処理手順を示す図
【図８】本発明の第５の実施の形態に係るシステムの処理手順を示す図
【図９】同実施の形態に係る携帯電話の表示画面の一例を示す図
【符号の説明】
【０１５８】
１  情報端末装置
１０  情報処理サーバ装置
１１  通信装置（外部通信装置、携帯電話）
１２  宅外回線網（通信ネットワーク）
１３  データ通信回線網
１４  音声通信回線網
１５  人感センサ（機器）
１６  冷蔵庫（機器）
１７  トイレ（機器）
１８  照明（機器）
２３  データ通信処理部
２４  音声通信処理部
２５  情報処理部
２８  情報送受信部
【図１】
2006345022.tif 000003
【図２】
2006345022.tif 000004
【図３】
2006345022.tif 000005
【図６】
2006345022.tif 000006
【図７】
2006345022.tif 000007
【図８】
2006345022.tif 000008
【図４】
2006345022.tif 000009
【図５】
2006345022.tif 000010
【図９】
2006345022.tif 000011